(57)【特許請求の範囲】
【請求項１】
情報記憶媒体が挿入される情報記憶媒体用挿入口が形成された筐体と、前記情報記憶媒体の挿入方向及び排出方向に沿ってスライド可能なスライド部材と、前記スライド部材の前記挿入方向に向かう移動を伝達して前記情報記憶媒体を排出方向に移動させると共に、前記情報記憶媒体の挿入方向に向かう移動を伝達して前記スライド部材を排出方向に移動する伝達手段と、前記スライド部材の前記排出方向側端部に取り付けられ、前記スライド部材の前記排出方向に向かう移動に応じて前記筐体に設けた抜け防止部材用挿入口から前記筐体外部における前記情報記憶媒体用挿入口からの前記情報記憶媒体の挿入又は排出を許可する解除位置に押し出され、該押し出された状態で前記解除位置と前記情報記憶媒体用挿入口を覆う抜け防止位置との間で前記スライド部材に対してスライド可能に設けられた抜け防止部材を有し、前記抜け防止位置にある前記抜け防止部材を前記挿入方向に押すと前記抜け防止部材が前記筐体に当接して前記スライド部材の挿入方向の移動を規制する情報記憶媒体挿入機器において、
前記抜け防止部材が、前記筐体外面と平行な平板状部と、該平板状部の前記排出方向側に設けた突状部と、端部を前記解除位置から前記防止位置に向かう方向に離間する切欠部と、を有し、
前記抜け防止部材が前記筐体外部に押し出された状態で前記平板状部のみを覆うカバー部材を有し、
前記筐体が、前記抜け防止部材を前記抜け防止部材用挿入口内に挿入した状態で前記切欠部内に挿入される切欠挿入部を有することを特徴とする情報機器媒体挿入機器。
【請求項２】
前記抜け防止部材を前記解除位置から前記防止位置に向かう方向に付勢する弾性部材を有することを特徴とする請求項１記載の情報機器媒体挿入機器。
【発明の詳細な説明】
【技術分野】
【０００１】
本発明は、情報記憶媒体挿入機器に係り、特に、情報記憶媒体が挿入される情報記憶媒体用挿入口が形成された筐体と、前記情報記憶媒体の挿入方向及び排出方向に沿ってスライド可能なスライド部材と、前記スライド部材の前記挿入方向に向かう移動を伝達して前記情報記憶媒体を排出方向に移動させると共に、前記情報記憶媒体の挿入方向に向かう移動を伝達して前記スライド部材を排出方向に移動する伝達手段とを備えた情報記憶媒体挿入機器に関するものである。
【背景技術】
【０００２】
デジタルタコグラフ、自動料金収受システム（ETC:Electronic Toll Collection System）用の車載器等、この種の機器は、情報記憶媒体であるメモリカード、ＩＣカード等のカードを挿入又は排出するためのカード用挿入口と、この挿入口より挿入されたカードが装着されるカードコネクタ装置と、を有している。
【０００３】
図８は従来の挿入機器の概観の一例を示す斜視図である。同図に示すように、車両等に搭載される電気機器であるデジタルタコグラフは、フロントケース１、上ケース２及び下ケース３により箱状の筐体全体の外形が構成されている。この筐体の内部には、情報記憶媒体であるカード４用のカードコネクタ装置等の製品内機が収容されている（例えば、特許文献１参照）。なお、上記フロントケース１、上ケース２及び下ケース３は例えば、プラスティックで形成される。
【０００４】
図９は図８に示す挿入機器のフロントケース１の正面図であり、上記フロントケース１の前面には、スイッチ１１、ディスプレイ１２、ランプ１３、情報記憶媒体用挿入口であるカード用挿入口１４及びイジェクトボタン１５等が配設されている。スイッチ１１は例えば、終了スイッチ１１Ａ、切替スイッチ１１Ｂ、Ａスイッチ１１Ｃ、Ｂスイッチ１１Ｄ等であり、これによりデジタルタコグラフの立ち上げ、機能切替等が指令入力される。ディスプレイ１２は、運行情報等を表示する。ランプ１３は例えば、ＯＫ（正常）表示用ランプ１３Ａ、ＡＬＭ（警報）表示用ランプ１３Ｂ、ＣＡＲＤ（カードデータ処理中）表示用ランプ１３Ｃ等である。
【０００５】
カード用挿入口１４は、フロントケース１の前面部にスリット状に形成され、筐体内に収容される前記カードコネクタ装置に装着される上記カード４が図中矢印で示す方向から挿入される。そして、このカード用挿入口１４は、フロントケース１の前面部の裏側から、このカード用挿入口１４を開又は閉状態にする後述するシャッター（不図示）により覆われている。そして、このカード用挿入口１４に、挿入されたカード４を取り出すためのスライド部材であるイジェクトボタン１５が隣設されている。
【０００６】
また、上記機器は主に車両に搭載されるため、車両の走行中における振動等によってカード４が前記カード用挿入口１４から抜け落ちることを防止する抜け防止部材であるスライドボタン１６がカード用挿入口１４に隣接されている。スライドボタン１６は、カード用挿入口１４の一部を覆うように内部機構（図示せず）によって防止位置に付勢され、この付勢方向とは反対方向の解除位置にスライドさせることで、カード用挿入口１４に対するカード４の挿入及び排出を許可するように設けている。そして、スライドボタン１６が前記反対方向にスライドされ、カード用挿入口１４からカード４が挿入されて前記カードコネクタ装置に装着されると、スライドボタン１６は前記付勢力によって前記防止位置に復帰する。よって、スライドボタン１６は、前記カードコネクタ装置に装着されたカード４の一部を係止することになるため、カード４が前記カード用挿入口１４から抜けることを防止している。
【０００７】
図１０はカードコネクタ装置２０のカード挿入時の内部機構を示す図であり、図１１はカードコネクタ装置のカード排出時の内部機構を示す図である。上述した挿入機器の筐体に設けられる基板に実装されるカードコネクタ装置２０は、図１０及び図１１に示すように、筐体本体内に収容されたカード４に設けた図示しないコネクタとコネクタ接続されるコネクタ２１と、カード用挿入口１４から挿入されたカード４に連動して移動する伝達手段であるトレイ２２と、カード４の挿入方向Ｉ及び排出方向Ｏに沿ってスライド可能なスライド部材２３と、トレイ２２の移動をスライド部材２３に伝達すると共にスライド部材２３の移動をトレイ２２に伝達する伝達手段である伝達部材２４とを備える。なお、カードコネクタ装置２０によっては、スライド部材２３をそのままフロントケース１から突出させる構成とする場合もある。
【０００８】
カードコネクタ装置２０は、その本体がプラスチックで形成されており、その内側にはトレイ２２がスライド可能に填め込まれるガイド溝と、金属で形成された伝達部材２４を軸支するボス２５と、を有している。そして、トレイ２２は伝達部材２４が係止する係止片２２ａを有し、コネクタ２１寄りの一端は、コネクタ２１に接続されたカード４をコネクタ２１から外して図中矢印Ｏで示す排出方向Ｏに移動させるためにフック状になっている。
【０００９】
伝達部材２４は、ボス２５が回動自在に嵌合される嵌合孔２４ａと、プラスチックで形成されたスライド部材２３を係止するための係止孔２４ｂと、トレイ２２が図中矢印Ｉで示す挿入方向Ｉに移動したときにその係止片２２ａと係止する挿入用係止部２４ｃと、トレイ２２を排出方向Ｏに移動させるときにその係止片２２ａと係止する排出用係止部２４ｄと、を有している。そして、スライド部材２３に形成された貫通孔２３ａと伝達部材２４の係止孔２４ｂとをビス等で係止している。
【００１０】
次に、挿入及び排出時のカードコネクタ装置２０の動作を説明する。前記カード用挿入口１４からカードコネクタ装置２０に前記カード４が挿入されてトレイ２２が前記ガイド溝を挿入方向Ｉに移動すると、トレイ２２の係止片２２ａと伝達部材２４の挿入用係止部２４ｃが接触し、伝達部材２４が嵌合孔２４ａを中心として回動することで、図１１に示すように、スライド部材２３は排出方向Ｏに移動されて装置本体から突出する。また、カード４全体が筐体内部に挿入されるとコネクタ２１と接続される。
【００１１】
前記カード４が挿入された状態でスライド部材２３が挿入方向Ｉに押されると、スライド部材２３の移動に応じて伝達部材２４も嵌合孔２４ａを中心として回動することで、伝達部材２４の排出用係止部２４ｄが排出方向Ｏに移動し、トレイ２２の係止片２２ａに係止すると、トレイ２２がガイド溝を排出方向Ｏに移動する。そして、その移動に応じて前記カード４がコネクタ２１から外れ、カード４はトレイ２２によってカード用挿入口１４からその一部が排出される。
【００１２】
また、上述した従来例では、カード４の移動をスライド部材２３に伝達すると共に、スライド部材２３の挿入方向Ｉへの移動をカード４に伝達する手段としてトレイ２２及び伝達部材２４を用いて、機械的に伝達していたが、例えばソレノイドコイルなどを用いて電気的に伝達することも考えられている（特許文献２）。
【００１３】
また、使用中の不用意なカード４の抜けを防止する他のＩＣカード装置（カードコネクタ装置）は、ＩＣカードと、このＩＣカード排出時に回すイジェクトつまみと、一方の終端に凹部のある螺旋状の溝を刻んだ円筒と、この円筒と一体となって上記ＩＣカードを押し出すイジェクト盤と、このイジェクト盤及び上記円筒、イジェクトつまみを同軸上に結合するシャフトと、このシャフトと同軸上にあるコイルばねと、上記シャフトから垂直方向に突出したロックピンと、上記螺旋状の溝と噛み合うガイドピンと、上記ＩＣカード内の電極と電気的に接続するコンタクトピンとで構成され、上記イジェクトつまみを回すことでシャフトを介して繋がった円筒を回転し、上記ガイドピンが円筒に刻まれた螺旋状の溝をなぞることによって上記イジェクト盤を押し出させ、上記イジェクト盤が押し出して上記ＩＣカードを排出することを特徴としている（例えば、特許文献３）。
【００１４】
このようなＩＣカード装置によれば、ボタンを押す操作ではなく、つまみを回す動作によりカードを排出することで、コネクタ全体のサイズが大きくなることを防止している。しかしながら、上述したデジタルタコグラフは車両に搭載され、その操作は運転者、作業者等が行うことから、カードの排出操作は簡単なものが望まれており、デジタルタコグラフには上述した押しボタン式のカードコネクタ装置が主に搭載されている。
【００１５】
上述したデジタルタコグラフでは、カード用挿入口１４にカード４が挿入されると、スライドボタン１６によってカードコネクタ装置２０からのカード４の抜けが防止されている。しかしながら、スライドボタン１６を解除しないままの状態でイジェクトボタン１５が押されると、カードコネクト装置２０は上述した内部機構によってカード４をカード用挿入口１４から排出しようとするが、スライドボタン１６によってその排出が阻止されるため、イジェクトボタン１５がそのまま押され続けると、カードコネクタ装置２０の内部機構（例えば、前記ボス２５等）が破損するという問題が発生していた。
【００１６】
そこで、スライドボタン１６に連動し、カード４がカードコネクタ装置２０に装着された状態ではスライド部材２３の操作を不能とし、スライドボタン１６の解除に応じてスライド部材２３の移動を可能とする規制部材をさらに設けたカードコネクタ装置が提案されている（例えば特許文献４）。
【００１７】
上述したカードコネクタ装置は、カード４がカード用挿入口１４から排出可能なとき以外はカードコネクタ装置の操作が不能となるため、無理なスライド部材２３の操作によるカードコネクタの破損を防止することができる。しかしながら、上述したカードコネクタ装置では、規制部材をさらに設ける必要がある。このため、部品点数が多くなると共に構造が複雑となり信頼性及び組付性が低いという問題があった。
【００１８】
また、上述した何れの従来装置も、イジェクトボタン１５とスライドボタン１６とは別々の離れた場所に設けられているため、スライドボタン１６からイジェクトボタン１５への指を移動させる必要があり、操作性も低いという問題もあった。特に、スライドボタン１６が防止位置に付勢され、さらに解除位置で保持する部材がなければ、片手でスライドボタン１６をスライドして解除状態を保持し、もう一方の手でスライド部材２３を操作する必要があり、カード４の排出には両手での操作が必要であり、操作が煩雑であった。
【特許文献１】特開２００２−２０７９６７号公報
【特許文献２】特開昭６１−２０７９２４号公報
【特許文献３】特開２０００−２５２００８号公報
【特許文献４】特開２００４−１０３４４６号公報
【発明の開示】
【発明が解決しようとする課題】
【００１９】
そこで、本発明は、上記のような問題点に着目し、信頼性及び組付性の向上を図りつつ、解除操作、排出操作を簡単に行えると共に、無理なスライド部材の移動による破損を防止する情報記憶媒体挿入機器を提供することを課題とする。
【課題を解決するための手段】
【００２０】
上記課題を解決するためになされた請求項１記載の発明は、情報記憶媒体が挿入される情報記憶媒体用挿入口が形成された筐体と、前記情報記憶媒体の挿入方向及び排出方向に沿ってスライド可能なスライド部材と、前記スライド部材の前記挿入方向に向かう移動を伝達して前記情報記憶媒体を排出方向に移動させると共に、前記情報記憶媒体の挿入方向に向かう移動を伝達して前記スライド部材を排出方向に移動する伝達手段と、前記スライド部材の前記排出方向側端部に取り付けられ、前記スライド部材の前記排出方向に向かう移動に応じて前記筐体に設けた抜け防止部材用挿入口から前記筐体外部における前記情報記憶媒体用挿入口からの前記情報記憶媒体の挿入又は排出を許可する解除位置に押し出され、該押し出された状態で前記解除位置と前記情報記憶媒体用挿入口を覆う抜け防止位置との間で前記スライド部材に対してスライド可能に設けられた抜け防止部材を有し、前記抜け防止位置にある前記抜け防止部材を前記挿入方向に押すと前記抜け防止部材が前記筐体に当接して前記スライド部材の挿入方向の移動を規制する情報記憶媒体挿入機器において、前記抜け防止部材が、前記筐体外面と平行な平板状部と、該平板状部の前記排出方向側に設けた突状部と、端部を前記解除位置から前記防止位置に向かう方向に離間する切欠部と、を有し、前記抜け防止部材が前記筐体外部に押し出された状態で前記平板状部のみを覆うカバー部材を有し、前記筐体が、前記抜け防止部材を前記抜け防止部材用挿入口内に挿入した状態で前記切欠部内に挿入される切欠挿入部を有することを特徴とする情報機器媒体挿入機器に存する。
【００２１】
請求項１記載の発明によれば、情報記憶媒体用挿入口から情報記憶媒体を挿入して、情報記憶媒体を挿入方向に移動する。伝達手段が、この情報記憶媒体の挿入方向への移動をスライド部材に伝達して、スライド部材が排出方向に移動する。このスライド部材の排出方向への移動に応じてこのスライド部材の排出方向側端部に設けた抜け防止部材が抜け防止部材用挿入口から筐体外部の解除位置に押し出され、押し出された状態で解除位置と防止位置との間でスライド可能になる。抜け防止部材を押し出された状態で解除位置から防止位置にスライドして情報記憶媒体用挿入口を筐体外部から覆うことにより、情報記憶媒体の情報記憶媒体用挿入口からの抜けを防止する。抜け防止部材をスライドして解除位置に戻した後、抜け防止部材用挿入口から筐体内部に挿入すると、スライド部材が挿入方向に移動する。伝達手段が、このスライド部材の挿入方向に向かう移動を情報記録媒体に伝達して、情報記録媒体が排出方向に移動して、情報記憶媒体を情報記憶媒体用挿入口から排出する。
【００２２】
従って、抜け防止部材にスライドボタンとイジェクトボタンとの双方の機能を持たせることにより、スライドボタンとイジェクトボタンとを別々の場所に設ける必要がない。このため、抜け防止部材を用いて抜け防止部材を防止位置から解除位置にスライドさせる解除操作及びスライド部材を挿入方向に移動させる排出操作の双方を行うことができ、片手で簡単に解除操作及び排出操作を行うことができる。しかも、抜け防止部材が防止位置にあるときは、抜け防止部材と抜け防止部材用挿入口の位置がずれるため、抜け防止部材を抜け防止部材用挿入口から挿入することが不可能とすることができ、スライド部材の挿入方向への移動も不可能とすることができるので、規制部材を追加する必要もない。
【００２３】
また、請求項１記載の発明によれば、抜け防止部材が、筐体外面と平行な平板状部と、平板状部の排出方向側に設けた突状部とを有する。カバー部材は、抜け防止部材が筐体外部に押し出された状態で平板状部のみを覆う。従って、突状部はカバー部材に覆われていないので操作が可能となる。また、平板状部がカバー部材に覆われているため、抜け防止部材がスライド部材から外れてしまうことを防止する。
【００２４】
また、請求項１記載の発明によれば、抜け防止部材が挿入方向に貫通しかつ端部を解除位置から防止位置に向かう方向に離間する切欠部が形成される。筐体が抜け防止部材を抜け防止部材用挿入口内に挿入した状態で切欠部内に挿入される切欠挿入部を有する。以上の構成によれば、抜け防止部材を防止位置にスライドしたとき、抜け防止部材の切欠部よりも解除位置側の部分が切欠挿入部と対向する。このため、防止位置において抜け防止部材を挿入方向に押しても、切欠挿入部と抜け防止部材の切欠部よりも解除位置側の部分とが当接して抜け防止部材の挿入方向への操作が不可能となる。
【００２５】
請求項２記載の発明は、前記抜け防止部材を前記解除位置から前記防止位置に向かう方向に付勢する弾性部材を有することを特徴とする請求項１記載の情報記憶媒体挿入機器に存する。
【００２６】
請求項２記載の発明によれば、弾性部材が解除位置から防止位置に向かう方向に付勢する。従って、情報記憶媒体の挿入に応じてスライド部材が排出方向に移動し、抜け防止部材が抜け防止部材用挿入口から筐体外部に押し出されると、弾性部材の付勢力により抜け防止部材が自動的に防止位置にスライドする。
【００２７】
請求項４記載の発明は、前記抜け防止部材が、端部を前記解除位置から前記防止位置に向かう方向に離間する切欠部を有し、前記筐体が、前記抜け防止部材を前記抜け防止部材用挿入口内に挿入した状態で前記切欠部内に挿入される切欠挿入部を有することを特徴とする請求項１〜３何れか１項記載の情報記憶媒体挿入機器に存する。
【００２８】
請求項４記載の発明によれば、抜け防止部材が挿入方向に貫通しかつ端部を解除位置から防止位置に向かう方向に離間する切欠部が形成される。筐体が抜け防止部材を抜け防止部材用挿入口内に挿入した状態で切欠部内に挿入される切欠挿入部を有する。以上の構成によれば、抜け防止部材を防止位置にスライドしたとき、抜け防止部材の切欠部よりも解除位置側の部分が切欠挿入部と対向する。このため、防止位置において抜け防止部材を挿入方向に押しても、切欠挿入部と抜け防止部材の切欠部よりも解除位置側の部分とが当接して抜け防止部材の挿入方向への操作が不可能となる。
【発明の効果】
【００２９】
以上説明したように請求項１記載の発明によれば、抜け防止部材にスライドボタンとイジェクトボタンとの双方の機能を持たせることにより、スライドボタンとイジェクトボタンとを別々の場所に設ける必要がない。このため、抜け防止部材を用いて抜け防止部材を防止位置から解除位置にスライドさせる解除操作及びスライド部材を挿入方向に移動させる排出操作の双方を行うことができ、片手で簡単に解除操作及び排出操作を行うことができる。しかも、抜け防止部材が防止位置にあるときは、抜け防止部材と抜け防止部材用挿入口の位置がずれるため、抜け防止部材を抜け防止部材用挿入口から挿入することが不可能とすることができ、スライド部材の挿入方向への移動も不可能とすることができるので、規制部材を追加する必要もないので、信頼性及び組付性の向上を図りつつ、解除操作、排出操作を簡単に行えると共に、無理なスライド部材の移動による破損を防止する。
【００３０】
また、請求項１記載の発明によれば、突状部はカバー部材に覆われていないので操作が可能となる。また、平板状部がカバー部材に覆われているため、抜け防止部材がスライド部材から外れてしまうことを防止するので、より信頼性の向上を図ることができる。
【００３１】
また、請求項１記載の発明によれば、抜け防止部材を防止位置にスライドしたとき、抜け防止部材の切欠部よりも解除位置側の部分が切欠挿入部と対向する。このため、防止位置において抜け防止部材を挿入方向に押しても、切欠挿入部と抜け防止部材の切欠部よりも解除位置側の部分とが当接して抜け防止部材の挿入方向への操作が不可能となるので、より確実に防止位置において抜け防止部材の排出操作を不能とすることができる。
【００３２】
請求項２記載の発明によれば、情報記憶媒体の挿入に応じてスライド部材が排出方向に移動し、抜け防止部材が抜け防止部材用挿入口から筐体外部に押し出されると、弾性部材の付勢力により抜け防止部材が自動的に防止位置にスライドするので、ユーザが抜け防止部材の押し出された位置から防止位置へのスライド操作を行う必要がなく、より一層操作性及び信頼性の向上を図ることができる。
【発明を実施するための最良の形態】
【００３３】
以下、本発明の情報記憶媒体挿入機器の一実施の形態を図面を参照して説明する。なお、従来の技術のところで説明したものと同一あるいは相当する部分には同一符号を付してその詳細な説明は省略する。
【００３４】
ここで、図１は本発明の挿入機器としてのデジタルタコグラフの概観の一例を示す斜示図である。図２は、図１に示すデジタルタコグラフのフロントケース１の正面図である。図３は、図１に示すデジタルタコグラフのカード排出時の内部機構を示す図である。図４は図１に示すデジタルタコグラフのカード挿入時、かつスライドイジェクトボタンが解除位置にある時の内部機構を示す図である。図５は図１に示すデジタルタコグラフのカード挿入時で、かつスライドイジェクトボタンが防止位置にある時の内部機構を示す図である。図６（Ａ）及び（Ｂ）は各々、図１に示すスライドイジェクトボタン１６が解除位置及び防止位置にあるときのフロントケース１の部分正面図である。図７は、スライドイジェクトボタン１６とカバー１８との関係を示す図である。
【００３５】
同図に示すように、車両等に搭載される電気機器であるデジタルタコグラフは、フロントケース１、上ケース２及び下ケース３により箱状の筐体全体の外形が構成されている。この筐体の内部には、情報記憶媒体であるカード４用のカードコネクタ装置等の製品内機が収容されている。なお、上記フロントケース１、上ケース２及び下ケース３は例えば、プラスティックで形成される。
【００３６】
図２に示すように、上記フロントケース１の前面には、スイッチ１１、ディスプレイ１２、ランプ１３、情報記憶媒体用挿入口であるカード用挿入口１４及びスライドイジェクトボタン１６等が配設されている。スイッチ１１は図２に示すように例えば、終了スイッチ１１Ａ、切替スイッチ１１Ｂ、Ａスイッチ１１Ｃ、Ｂスイッチ１１Ｄ等であり、これによりデジタルタコグラフの立ち上げ、機能切替等が指令入力される。ディスプレイ１２は、運行情報等を表示する。ランプ１３は例えば、ＯＫ（正常）表示用ランプ１３Ａ、ＡＬＭ（警報）表示用ランプ１３Ｂ、ＣＡＲＤ（カードデータ処理中）表示用ランプ１３Ｃ等である。
【００３７】
図１に示すようにカード用挿入口１４は、フロントケース１の前面部にスリット状に形成され、筐体内に収容される前記カードコネクタ装置に装着される上記カード４が図中矢印で示す方向から挿入される。そして、このカード用挿入口１４は、フロントケース１の前面部の裏側から、このカード用挿入口１４を開又は閉状態にする後述するシャッター（不図示）により覆われている。
【００３８】
また、図３〜図５に示すように、上述した筐体内に設けられる基板に実装されるカードコネクタ装置２０は、筐体本体内に収容された図示しないカード４の読出・書込装置と接続させるコネクタ２１と、カード４の挿入方向Ｉ及び排出方向Ｏに沿ってスライド可能なスライド部材２３とを備えている。
【００３９】
さらにカードコネクタ装置２０は、トレイ２２及び伝達部材２４を備えている。このトレイ２２及び伝達部材２４は、伝達手段として働き、スライド部材２３の挿入方向Ｉに向かう移動をカード４に伝達してカード４を排出方向Ｏに移動させる。この結果、カード４はその全体が筐体内部に挿入され、かつカード４とコネクタ２１とが接続される挿入位置Ｓ２（図４及び図５）からその一部がカード用挿入口１４から排出される排出位置Ｓ１（図３）に向かう排出方向Ｏに移動される。トレイ２２及び伝達部材２４は、さらにカード４の排出位置Ｓ１から挿入位置Ｓ２に向かう挿入方向Ｉへの移動を伝達してスライド部材２３を排出方向Ｏに移動させる。
【００４０】
上述したトレイ２２は、カード用挿入口１４から挿入されたカード４が装着され、挿入方向Ｉ、排出方向Ｏにスライド可能に設けられている。また、伝達部材２４は、スライド部材２３の挿入方向Ｉに向かう移動を伝達してトレイ２２を排出方向Ｏに移動させると共にカード４の挿入に応じたトレイ２２の挿入方向Ｉの移動を伝達してスライド部材２３を排出方向Ｏに移動する。
【００４１】
カードコネクタ装置２０はさらに、スライド部材２３の排出方向Ｏ側端部に取り付けられ、このスライド部材２３の排出方向Ｏに向かう移動に応じて筐体に設けたボタン用挿入口１７から筐体外部に押し出され、該押し出された解除位置（図４、図６（Ａ））と筐体外部からカード用挿入口１４を覆いカード４のカード用挿入口１４からの抜けを防止する抜け防止位置（図４、図６（Ｂ））との間でスライド部材２３に対してフロントケース１外面に沿ってスライド可能に設けたスライドイジェクトボタン（＝抜け防止部材）１６とを備えている。ボタン用挿入口１７はフロントケース１のカード用挿入口１４と隣接する位置に設けられている。上記解除位置においてスライドイジェクトボタン１６は、カード用挿入口１４を覆わず、カード用挿入口１４に対するカードの挿入又は排出を許可する。
【００４２】
また、カードコネクタ装置２０は、その本体がプラスチックで形成されており、その内側にはトレイ２２がスライド可能に填め込まれるガイド溝と、金属で形成された伝達部材２４を軸支するボス２５と、を有している。そして、トレイ２２は伝達部材２４が係止する係止片２２ａを有し、コネクタ２１寄りの一端は、コネクタ２１に接続されたカード４をコネクタ２１から外して図中矢印Ｏで示す排出方向Ｏに移動させるためにフック状になっている。
【００４３】
伝達部材２４は、ボス２５が回動自在に嵌合される嵌合孔２４ａと、プラスチックで形成されたスライド部材２３を係止するための係止孔２４ｂと、トレイ２２が図中矢印Ｉで示す挿入方向Ｉに移動したときにその係止片２２ａと係止する挿入用係止部２４ｃと、トレイ２２を排出方向Ｏに移動させるときにその係止片２２ａと係止する排出用係止部２４ｄと、を有している。そして、スライド部材２３に形成された貫通孔２３ａと伝達部材２４の係止孔２４ｂとをビス等で係止している。
【００４４】
また、カードコネクタ装置２０はさらに、スライドイジェクトボタン１６を解除位置から防止位置に向かう防止方向Ｄに付勢するコイルバネ（図示せず）をさらに備えている。このコイルバネは、例えば、一端をフロントケース１に固定し、他端をスライドイジェクトボタン１６に固定して取り付けられる。
【００４５】
次に、挿入及び排出時のカードコネクタ装置２０の動作を説明する。カード用挿入口１４からカード４を挿入しカード４が排出位置Ｓ１に達するとトレイ２２に装着される（図３）。カード４をさらに挿入すると、このカード４によってトレイ２２が挿入方向Ｉに向かって押し込まれ、ガイド溝を挿入方向Ｉに移動する。カード４が挿入位置Ｓ２に達するとカード４がコネクタ２１と接続される。また、上述したようにトレイ２２が挿入方向Ｉに移動すると、トレイ２２の係止片２２ａと伝達部材２４の挿入用係止部２４ｃが接触し、伝達部材２４が嵌合孔２４ａを中心として時計回りに回動することで、スライド部材２３は排出方向Ｏに移動される。
【００４６】
スライド部材２３の排出方向Ｏへの移動に応じてこのスライド部材２３の排出方向Ｏ側の端部に取り付けたスライドイジェクトボタン１６がボタン用挿入口１７からフロントケース１外部の解除位置に押し出され、スライドイジェクトボタン１６がスライド部材２３に対して前記解除位置と前記防止位置との間でスライド可能になる（図４）。そして、コイルバネの付勢力によりスライドイジェクトボタン１６は押し出された解除位置（図４）から防止位置（図５）に自動的にスライドして、カード用挿入口１４をフロントケース１外部から覆う。これにより、カード４のカード用挿入口１４からの抜けを防止することができる。
【００４７】
また、スライドイジェクトボタン１６が防止位置にあるときはスライドイジェクトボタン１６とボタン用挿入口１７との位置がずれるため、スライドイジェクトボタン１６をボタン用挿入口１７から挿入することが不可能となり、スライド部材２３の挿入方向Ｉへの移動も不可能となる。このため、スライドイジェクトボタン１６によってカード４の排出が阻止されている状態で、カード４が無理にカード用挿入口１４から排出されることがなくなるため、カードコネクタ装置の破損を防止することができる。
【００４８】
次に、スライドイジェクトボタン１６を解除方向Ｒ（図５）にスライド操作して解除位置（図４）に戻す解除操作を行った後、ボタン用挿入口１７内に挿入する。スライドイジェクトボタン１６の防止方向Ｄ側の外周は、このボタン用挿入口１７の防止方向Ｄ側の内周縁によって係止されて、解除状態が保持される。また、スライドイジェクトボタン１６のフロントケース１内部への挿入によって、スライドイジェクトボタン１６がスライド部材２３を押してスライド部材２３が挿入方向Ｉに移動する。
【００４９】
このスライド部材２３の挿入方向Ｉへの移動に応じて伝達部材２４が嵌合孔２４ａを中心として反時計回りに回動することで、伝達部材２４の排出用係止部２４ｄが排出方向Ｏに移動し、トレイ２２の係止片２２ａに係止すると、トレイ２２が前記ガイド溝を排出方向Ｏに移動する。そして、その移動に応じて前記カード４がコネクタ２１から外れ、カード４はトレイ２２によって排出位置Ｓ１に押し出され、カード４の一部がカード用挿入口１４から排出される。
【００５０】
また、フロントケース１においてスライドイジェクトボタン１６の解除状態を保持するボタン用挿入口１７の内周縁を形成する部分の厚さｌ１（図３）は、スライドイジェクトボタン１６の筐体内への挿入距離ｌ２と同じ、または挿入距離ｌ２より大きく設けられている（図３ではｌ１＝ｌ２）。これにより、筐体内に挿入されたスライドイジェクトボタン１６がコイルバネの付勢力によって防止方向Ｄに移動しないようにしている。
【００５１】
上述したデジタルタコグラフによれば、スライドイジェクトボタン１６にスライドボタンとイジェクトボタンとの双方の機能を持たせることにより、スライドボタンとイジェクトボタンとを別々に設ける必要がないので、信頼性及び組付性の向上を図ることができる。また、スライドイジェクトボタン１６を用いてスライドイジェクトボタン１６を防止位置から解除位置に移動させる解除操作及びスライド部材２３を挿入方向Ｉに移動させる排出操作の双方を行うことができ、片手で解除操作及び排出操作を行うことができる。しかも、スライドイジェクトボタン１６が防止位置にあるときはスライドイジェクトボタン１６とボタン用挿入口１７の位置がずれるため、スライドイジェクトボタン１６をボタン用挿入口１７から挿入することが不可能となり、スライド部材２３の挿入方向Ｉへの移動も不可能となるので、解除操作、排出操作を簡単に行えると共に、無理なスライド部材２３の移動による破損を防止することができる。
【００５２】
また、上述したデジタルタコグラフによれば、カード４の挿入に応じてスライド部材２３が排出方向Ｏに移動し、スライドイジェクトボタン１６がボタン用挿入口１７から筐体外部の解除位置に押し出されると、コイルバネの付勢力によりスライドイジェクトボタン１６が自動的に防止位置にスライドするので、ユーザがスライドイジェクトボタン１６の解除位置から防止位置へのスライド操作を行う必要がなく、より一層操作性及び信頼性の向上を図ることができる。
【００５３】
また、上述したスライドイジェクトボタン１６は、フロントケース１の外面と平行な平板状部１６ａと、平板状部１６ａの挿入方向Ｉ側に設けられ、スライド部材２３に対して解除位置と防止位置との間をスライド可能となるようにスライド部材２３が嵌め込まれる嵌込部１６ｂと、この平板状部１６ａの排出方向Ｏ側に設けられた突状の突状部であるボタン部１６ｃとを備えている。ボタン部１６ｃは、図３〜図４に示すように、解除方向Ｒに向かうに従って平板状部１６ａから離れる傾斜が設けられている。これにより、解除方向Ｒに指が引っかかりやすく、解除操作が行い易いようになっている。
【００５４】
また、デジタルタコグラフには、図７に示すように、スライドイジェクトボタン１６がフロントケース１外部に押し出された状態で平板状部１６ａのみを覆うカバー部材であるカバー１８をさらに備えている。カバー１８にはボタン部１６ｃを露出するための切欠が形成されている。これにより、ボタン部１６ｃはカバー１８に覆われていないので操作が可能となる。また、平板状部１６ａはカバー１８に覆われているため、スライドイジェクトボタン１６がスライド部材２３から外れてしまうことを防止し、より信頼性の向上を図ることができる。このカバー１８は例えばネジなどによってフロントケース１に取り付けてもよいし、フロントケース１と一体形成してもよい。
【００５５】
さらに上述したスライドイジェクトボタン１６は、図６に示すように、その平板状部１６ｂに挿入方向Ｉに貫通しかつ端部をスライド方向Ｙ１に離間する切欠部１６ｄが形成されている。また、フロントケース１には、ボタン用挿入口１７の周縁の一部となり、図６（Ｂ）に示すように、スライドイジェクトボタン１６をボタン用挿入口１７内に挿入した状態で切欠部１６ｄ内に挿入される切欠挿入部１ａが設けられている。
【００５６】
以上の構成によれば、図６（Ｂ）に示すように、スライドイジェクトボタン１６を防止位置にスライドしたとき、スライドイジェクトボタン１６の切欠部１６ｄよりも解除位置側の平板状部１６ａが切欠挿入部１ａと対向する。このため、防止位置においてスライドイジェクトボタン１６を挿入方向Ｉに押しても、切欠挿入部１ａとスライドイジェクトボタン１６の切欠部１６ｄよりも解除位置側の平板状部１６ａが当接してスライドイジェクトボタン１６の挿入方向Ｉへの操作が不可能となる。つまり、スライドイジェクトボタン１６の解除位置側の一部がボタン用挿入口１７に挿入されて、スライド部材２３が操作されてしまうことを防止することができ、より確実に防止位置においてスライドイジェクトボタン１６の排出操作を不能にすることができる。
【００５７】
なお、上述した実施形態では、伝達手段として嵌合孔２４ａを中心として回転するアーム状の伝達部材２４を用いていたが、例えば、歯車及び歯車と噛み合う溝が形成されると共に歯車を挟んで配置され、歯車の回転に応じて一方が一方向に他方が逆方向に移動する一対のラックから構成するものであってもよい。詳しくは、この一対のラックの移動方向をカード４の排出方向Ｏ及び挿入方向Ｉと平行に配置し、一方のラックにトレイ２２を取り付け、他方のラックでスライド部材２３を取り付ければ、スライド部材２３の挿入方向Ｉへの移動に押されて他方のラックが挿入方向Ｉに移動し、歯車を回転させると、この歯車の回転に応じて一方のラックが排出方向Ｏに移動してトレイ２２を介してカード４を排出方向Ｏに移動させる。また、カード４を挿入方向Ｉに移動に押されてトレイ２２を介して一方のラックが挿入方向Ｉに移動し、歯車を逆回転させると、この歯車の逆回転に応じて他方のラックが排出方向Ｏに移動してスライド部材２３を排出方向Ｏに押し出すことができる。
【００５８】
また、上述した実施形態では、伝達手段としてトレイ２２及び伝達部材２４を用いて機械的にカード４の移動をスライド部材２３に、スライド部材２３の移動をカード４に伝達していたが、本発明はこれに限ったものではなく、例えば、ソレノイドコイルなどを用いて電気的な手段で伝達するようにしてもよいし、電気的な伝達手段と機械的な伝達手段とを組み合わせてもよい。
【００５９】
また、上述した実施形態では、スライドイジェクトボタン１６を解除位置から防止位置に向かう方向に付勢する弾性部材としてコイルバネを用いていたが、本発明はこの構成に限ったものではなく、弾性部材としては例えばスプリングなどスライドイジェクトボタン１６を解除位置から防止位置に向かう方向に付勢できるものであればよい。
【００６０】
また、上述した実施形態では、スライドイジェクトボタン１６に設けた切欠部１６ｄとこの切欠部１６ｄに対応して設けたフロントケース１の切欠挿入部１ａとしては図面上下方向にそれぞれ２つ設けていたが、本発明はこの構成に限ったものでなく、１つであっても、３つ以上設けてもよい。
【００６１】
また、情報記憶媒体としてはメモリカードでもＩＣカードでも磁気ディスクや、ＣＤなどの光ディスクであってもよい。また、上述した実施形態ではデジタルタコメータに適用した例について説明していたが、例えばＥＴＣ車載器などの情報記憶媒体が挿入される機器であれば適用することができる。また、上述した実施形態では、カード４が挿入位置にあるときカード４がコネクタ２１と接続する構成になっていたが、本発明はこれに限らず、カード４を全体が筐体内部に挿入される挿入位置Ｓ２と一部がカード用挿入口１４から排出する排出位置Ｓ１との間で移動できる機器であればよい。
【００６２】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６３】
【図１】本発明の挿入機器としてのデジタルタコグラフの概観の一例を示す斜示図である。
【図２】図１に示すデジタルタコグラフのフロントケース１の正面図である。
【図３】図１に示すデジタルタコグラフのカード挿入時の内部機構を示す図である。
【図４】図１に示すデジタルタコグラフのカード挿入時、かつスライドイジェクトボタンが解除位置にある時の内部機構を示す図である。
【図５】図１に示すデジタルタコグラフのカード挿入時で、かつスライドイジェクトボタンが防止位置にある時の内部機構を示す図である。
【図６】（Ａ）及び（Ｂ）は各々、図１に示すスライドイジェクトボタン１６が解除位置及び防止位置にあるときのフロントケース１の部分正面図である。
【図７】スライドイジェクトボタン１６とカバー１８との関係を示す図である。
【図８】従来の挿入機器の概観の一例を示す斜示図である。
【図９】図８に示す挿入機器のフロントケース１の正面図である。
【図１０】従来のカードコネクタ装置２０のカード挿入時の内部機構を示す図である。
【図１１】従来のカードコネクタ装置２０のカード排出時の内部機構を示す図である。
【符号の説明】
【００６４】
１      フロントケース（筐体）
１ａ    切欠挿入部
２      上ケース（筐体）
３      下ケース（筐体）
４      カード（情報記憶媒体）
１４    カード用挿入口（情報記憶媒体用挿入口）
１６    スライドイジェクトボタン（抜け防止部材）
１６ａ  平板状部
１６ｃ  ボタン部（突状部）
１６ｄ  切欠部
１７    ボタン用挿入口（抜け防止部材用挿入口）
１８    カバー（カバー部材）
２２    トレイ（伝達手段）
２３    スライド部材（スライド部材）
２４    伝達部材（伝達手段）
【図１】
0004669746.tif 000002
【図２】
0004669746.tif 000003
【図３】
0004669746.tif 000004
【図４】
0004669746.tif 000005
【図５】
0004669746.tif 000006
【図６】
0004669746.tif 000007
【図７】
0004669746.tif 000008
【図８】
0004669746.tif 000009
【図９】
0004669746.tif 000010
【図１０】
0004669746.tif 000011
【図１１】
0004669746.tif 000012